(57)【特許請求の範囲】
【請求項１】
洗浄水により便器本体を洗浄する水洗大便器において、
便器本体の供給口へ洗浄水を供給する給水装置と、
ボウル形状の汚物受け面と、上縁部にあるリム部と、上記リム部の全周に形成されて洗浄水を導くリム通水路と、上記リム通水路の下方へと全周にわたって形成されたスリット開口部である吐水部と、を備えているボウル部と、
上記ボウル部の下方にその入口が接続され汚物を排出する排水路と、
上記供給口と上記リム通水路との間に形成されたリム後方導水路であって、上記リム通水路に向かって洗浄水を流出する上記リム後方導水路と、を有し、
上記リム後方導水路は、上記供給口から上記便器本体の前後方向に延びる中心軸線に対して左右方向のうち一方側へと延びその下流端に出口部を備えた上流側リム導水路と、この上流側リム導水路の出口部に屈曲部を介して接続された入口部を備えこの入口部から上記中心軸線に対して左右方向のうち他方側へと延びる下流側リム導水路と、を有し、
上記リム後方導水路の上流側リム導水路及び下流側リム導水路は、管構造の流路であることを特徴とする水洗大便器。
【請求項２】
下流側リム導水路は、所定距離においてほぼ直線状に形成される請求項１記載の水洗大便器。
【請求項３】
下流側リム導水路は、便器本体上に便座を取付ける取付部の間に形成される請求項１又は２に記載の水洗大便器。
【請求項４】
上記下流側リム導水路の外側壁面と上記リム通水路の外側壁面とは、ほぼ平坦に連続して形成されている請求項１乃至３の何れか１項に記載の水洗大便器。
【請求項５】
上記上流側リム導水路の中心軸は、上記供給口の中心より上記左右方向のうち上記上流側リム導水路の延びる方向側に偏心して延びている請求項１乃至４の何れか１項に記載の水洗大便器。
【請求項６】
上記上流側リム導水路の外側壁面は、上記供給口の壁面の接線に沿うように上記供給口の上記壁面と接続される請求項１乃至５の何れか１項に記載の水洗大便器。
【請求項７】
上記屈曲部は、その流路の外周壁の円弧の半径が、その流路の内周壁の円弧の半径より小さく形成されている請求項１乃至６の何れか１項に記載の水洗大便器。
【発明の詳細な説明】
【技術分野】
【０００１】
本発明は、水洗大便器に係り、特に、洗浄水源から供給された洗浄水により便器本体を洗浄して汚物を排出する水洗大便器に関する。
【背景技術】
【０００２】
従来から、例えば、特許文献１に示すような従来の水洗大便器、及び図７に示すような特許文献１と類似の構造を有している従来の水洗大便器３０１が、便器本体３０２のリム３０４のリム通水路３０６の底面にスリット開口３１２を備えているオープンリム構造を備えたものが知られている。このようなオープンリム構造においては、リム３０４とボウル部３０８との間のスリット開口３１２の幅を調整することにより、リム３０４内部からボウル部３０８に流下する洗浄水量を調整することとしている。
図７に示すように、特許文献１の従来のオープンリム構造を備えた水洗大便器３０１においては、供給された洗浄水が、リム通水路３０６内を時計回り方向及び反時計回り方向に分割して流れてボウル部３０８を洗浄することができるように、導水路３１０が便器本体３０２の中央近傍において、リム３０４のリム通水路３０６に接続されている。
【先行技術文献】
【特許文献】
【０００３】
【特許文献１】特許第４０６２７３１号公報
【発明の概要】
【発明が解決しようとする課題】
【０００４】
しかしながら、このような従来の水洗大便器３０１において、近年の節水化の要請により、洗浄水量を低減して少ない洗浄水量で洗浄しようとする場合、リム通水路３０６に供給される洗浄水は、洗浄水量が減ったことによりその勢いが弱く、その合流部分の直前で便器本体の中央から曲がる導水路３１０の出口部近傍のスリット開口３１２からその洗浄水のほとんどが、矢印Ｂ１で示すように、ボウル部３０８に流下してしまうこととなり、リム通水路３０６に沿って旋回しようとする洗浄水が不十分となり、矢印Ｂ２で示すように、ボウル部３０８の洗浄が不良となる問題が生じていた。
【０００５】
また、単に、スリット開口３１２の幅を小さく形成することにより導水路３１０の出口部近傍のスリット開口３１２から流下する洗浄水を低減しようとしたのでは、依然として、リム通水路３０６を旋回しようとする洗浄水の勢いを強めることができず、洗浄水がリム通水路を一周するように十分に旋回することができないという問題が生じている。
それに加え、スリット開口３１２の幅を小さく形成することは製造上成形が難しいといった問題もあり、実質スリット開口３１２の幅を小さくするとは出来なかった。
【０００６】
さらに、図７に示すように導水路とリム通水路の合流部分の直前で便器本体の中央から向きを変える構造は、そもそも、供給された洗浄水を、リムの通水路内を中央から時計回り方向及び反時計回り方向に分割してリムの通水路全体に流す思想を前提としているため、上述のような従来構造に基づいて、洗浄水量が低減された場合においても、洗浄水が左右片側からリム通水路を一周するように十分に旋回することができるような、比較的強い勢いを有した流れが形成できないという問題もあった。
【０００７】
そこで、本発明は、上述した従来技術の問題を解決するためになされたものであり、リム導水路からリム通水路に向かって流入する洗浄水の勢いが強められ且つリム通水路を旋回しようとする流れが形成されやすくなり、便器洗浄に使用する洗浄水量を少なく設定した場合においても、洗浄水がボウル部を一周するように旋回することができ、ボウル部を十分に洗浄することができる水洗大便器を提供することを目的としている。
【課題を解決するための手段】
【０００８】
上述した目的を達成するために、本発明は、洗浄水により便器本体を洗浄する水洗大便器において、便器本体の供給口へ洗浄水を供給する給水装置と、ボウル形状の汚物受け面と、上縁部にあるリム部と、リム部の全周に形成されて洗浄水を導くリム通水路と、リム通水路の下方へと全周にわたって形成されたスリット開口部である吐水部と、を備えているボウル部と、ボウル部の下方にその入口が接続され汚物を排出する排水路と、供給口とリム通水路との間に形成されたリム後方導水路であって、リム通水路に向かって洗浄水を流出するリム後方導水路と、を有し、リム後方導水路は、供給口から便器本体の前後方向に延びる中心軸線に対して左右方向のうち一方側へと延びその下流端に出口部を備えた上流側リム導水路と、この上流側リム導水路の出口部に屈曲部を介して接続された入口部を備えこの入口部から中心軸線に対して左右方向のうち他方側へと延びる下流側リム導水路と、を有し、リム後方導水路の上流側リム導水路及び下流側リム導水路は、管構造の流路であることを特徴としている。
このように構成された本発明においては、リム後方導水路が、供給口から便器本体の前後方向に延びる中心軸線に対して左右方向のうち一方側へと延びその下流端に出口部を備えた上流側リム導水路と、この上流側リム導水路の出口部に接続された入口部を備えこの入口部から中心軸線に対して左右方向のうち他方側へと延びる下流側リム導水路と、を有するので、洗浄水が、便器本体の左右方向のうち一方側へと延びる上流側リム導水路から、方向を変えて下流側リム導水路に流入され、下流側リム導水路に沿って、左右方向のうち他方側へと比較的長い長さにわたって導かれる。従って、スリット開口部の大きさを低減しない場合であってもリム通水路を旋回しようとする流れが形成されやすくなる。よって、便器洗浄に使用する洗浄水量を少なく設定した場合においても、洗浄水がリム通水路を一周するように旋回することができ、ボウル部を十分に洗浄することができる。
【０００９】
本発明において、好ましくは、下流側リム導水路は、所定距離においてほぼ直線状に形成される。
このように構成された本発明においては、下流側リム導水路が、所定距離においてほぼ直線状に形成されているために、上流側リム導水路から方向を換えられた洗浄水が、下流側リム導水路において整流されることができる。従って、下流側リム導水路からリム通水路に向かって流入する際の洗浄水の勢いが強められ、且つリム通水路を旋回しようとする流れが形成されやすくなる。
【００１０】
本発明において、好ましくは、下流側リム導水路は、便器本体上に便座を取付ける取付部の間に形成される。
このように構成された本発明においては、下流側リム導水路を、便器本体上に便座を取付ける取付部を回避して設けることができる。
【００１１】
本発明において、好ましくは、下流側リム導水路の外側壁面とリム通水路の外側壁面とは、ほぼ平坦に連続して形成されている。
このように構成された本発明においては、下流側リム導水路の外側壁面とリム通水路の外側壁面とはほぼ平坦に連続して形成されているために、下流側リム導水路からリム通水路に流れる洗浄水が受ける圧力損失を抑制することができる。
【００１２】
本発明において、好ましくは、上流側リム導水路の中心軸は、供給口の中心より左右方向のうち上流側リム導水路の延びる方向側に偏心して延びている。
このように構成された本発明においては、供給口から便器本体の左右方向のうち一方側へと延びる上流側リム導水路の中心軸が、供給口の中心より左右方向のうち上流側リム導水路の延びる方向側に偏心して延びているので、供給口から流出する洗浄水が、供給口の中心より左右方向のうち上流側リム導水路の延びる方向側から、偏心した上流側リム導水路に比較的スムーズに流出することができる。よって、上流側リム導水路の中心軸が、供給口の中心から偏心していない場合と比べて、洗浄水が供給口の偏心している上流側リム導水路の側から比較的スムーズに上流側リム導水路に流れ込むことができる。
【００１３】
本発明において、好ましくは、上流側リム導水路の外側壁面は、供給口の壁面の接線に沿うように供給口の壁面と接続される。
このように構成された本発明においては、供給口から供給された洗浄水が、供給口の壁面からこの壁面の接線に沿うように上流側リム導水路の外側壁面に沿って流れ、その勢いを保ちながら、滑らかに流れることができる。従って、上流側リム導水路を流れる洗浄水の勢いを比較的強めることができる。
【００１４】
本発明において、好ましくは、屈曲部は、その流路の外周壁の円弧の半径が、その流路の内周壁の円弧の半径より小さく形成されている。
このように構成された本発明においては、屈曲部の流路の外周壁の円弧の半径が、その流路の内周壁の円弧の半径より小さいので、屈曲部の流路の外周壁に沿う流れを、屈曲部の流路の内周壁側に沿う流れに向かって誘導することができ、その内周壁側から下流側リム導水路に延びる壁面に沿うようにリム通水路に向かって流入する洗浄水の勢いが強められ、リム通水路を旋回しようとする流れが形成されやすくなる。
【発明の効果】
【００１６】
本発明の水洗大便器によれば、リム導水路からリム通水路に向かって流入する洗浄水の勢いが強められ且つリム通水路を旋回しようとする流れが形成されやすくなり、便器洗浄に使用する洗浄水量を少なく設定した場合においても、洗浄水がボウル部を一周するように旋回することができ、ボウル部を十分に洗浄することができる。
【図面の簡単な説明】
【００１７】
【図１】本発明の第１実施形態による水洗大便器を示す側面断面図である。
【図２】本発明の第１実施形態による水洗大便器の便器本体の平面図である。
【図３】図２のＩＩＩ−ＩＩＩ線に沿って見た断面図である。
【図４】本発明の第２実施形態による水洗大便器の便器本体の平面図である。
【図５】本発明の第３実施形態による水洗大便器の便器本体の平面図である。
【図６】本発明の第３案施形態による水洗大便器において便器本体の後方上部の流路を示す概略部分拡大図である。
【図７】従来の水洗大便器の便器本体の平面図である。
【発明を実施するための形態】
【００１８】
以下、添付図面を参照して本発明の第１実施形態による水洗大便器について説明する。
図１は本発明の第１実施形態による水洗大便器を示す側面断面図であり、図２は本発明の第１実施形態による水洗大便器の便器本体の平面図であり、図３は図２のＩＩＩ−ＩＩＩ線に沿って見た断面図である。なお、図２においては、洗浄水の流れを矢印で示している。以下、本発明の実施形態における説明において、便器本体２を前方から見て右側を右側とし、前方から見て左側を左側として説明している。
図１乃至図３に示すように、本発明の第１実施形態による水洗大便器１は、陶器等からなる便器本体２を有する。また、便器本体２の後方側の上方には、洗浄水源である貯水タンク４により示す給水装置が設置されている。さらに、貯水タンク４は上水道等の給水源（図示せず）に接続されている。貯水タンク４に設けられた操作レバー（図示せず）を操作することにより洗浄操作を開始すると、貯水タンク４の排水弁（図示せず）が開き、貯水タンク４から所定の洗浄水量（例えば、６リットル）が便器本体２の中央後方側の上部に開口された供給口６に供給されるようになっている。供給口６は、中央のみならず中心軸線Ｃから右側又は左側にずれて形成されていてもよい。
また、本実施形態の水洗大便器１においては、貯水タンク４から供給される洗浄水量が３リットル乃至６リットルの範囲である節水タイプの水洗大便器、好ましくは４．８リットル乃至６リットルの範囲である節水タイプの水洗大便器に使用することができる。
貯水タンク４により示される給水装置は、貯水タンクの他、規定の洗浄水量を供給できるフラッシュバルブ等の他の給水装置であってもよい。
【００１９】
また、便器本体２の前方上部には、ボウル部８が形成され、便器本体２の後方上部には、供給口６と後述するリム通水路２０との間に形成され、貯水タンク４から供給された洗浄水を供給口６からボウル部８に導水するリム後方導水路１０が形成されている。
さらに、ボウル部８の下方には、溜水部１２が形成され、初期水位の溜水面がＷ０で示されている所定量の溜水が貯留されている。また、この溜水部１２の下端には、排水トラップ管路１４の入口１４ａが接続されており、排水トラップ管路１４は、その入口１４ａから後方へと延び、その後端１４ｂが床面に設置された排出管（図示せず）に接続されている。
【００２０】
ボウル部８は、ボウル形状に形成されている汚物受け面１６と、その上縁部に形成されて汚物受け面１６に洗浄水を吐水するリム部１８を備えている。このリム部１８は、その上面から下方へ汚物受け面１６近傍まで垂れ下がるように延びてリム部１８の内部（便器本体の中心から見て外側）にリム通水路２０を形成するリム垂下壁部２２を備えている。
また、リム部１８は、リム通水路２０内の洗浄水が外に飛び出さないようにリム垂下壁部２２がオーバーハングした形状を形成しており、リム部１８の周方向に沿って形成されたリム通水路２０の内側且つ下方が全周にわたって開口されてスリット開口部２６を形成している、いわゆる、オープンリムタイプの形態であるオープンリム部となっている。
このリム通水路２０の内側（内部側）における、リム通水路底面２４とリム垂下壁部２２との間において、下方へと開口するスリット形状に形成されたスリット開口部２６が、洗浄水を汚物受け面１６に吐水する吐水部を形成している。
【００２１】
また、ボウル部８には、汚物受け面１６とリム部１８との間にボウル部８のほぼ全周に亘って形成された棚状のリム通水路底面２４が形成されている。リム通水路底面２４は、ボウル部８の上部に環状に形成された平坦面を形成し、この平坦面はボウル部８の外側方向から内側方向においては、ほぼ水平に形成されている。リム通水路底面２４の前方側の高さ位置は後方側の高さ位置よりもわずかに低くなるように形成されている。
このような構成により、リム後方導水路１０から供給された洗浄水が、リム通水路２０においてリム通水路底面２４上を流れながらボウル部８の上部を一周するような流れを形成することができる。すなわち、本実施形態における水洗大便器は、オープンリムタイプの構造によるリム通水路２０において洗浄水が左右片側から時計回り又は反時計回りに周回するような一方向の流れを形成するタイプの水洗大便器である。
【００２２】
次に、リム後方導水路について詳細に説明する。
図１及び図２に示すように、便器本体２の後方側のリム後方導水路１０の後端には、貯水タンク４の下流側端部が接続される供給口６が形成され、貯水タンク４から供給された洗浄水は、供給口６から便器本体２の後方側のリム後方導水路１０に吐水され、リム後方導水路１０からリム通水路２０に流入するようになっている。
【００２３】
リム後方導水路１０は、便器本体の前方から見てほぼ中央に配置された供給口６近傍から便器本体２の左右方向のうち一方側へと延びる上流側リム後方導水路２８と、この上流側リム後方導水路２８から左右方向のうち他方側へと延びる下流側リム後方導水路３０とを備えている。リム後方導水路１０は、中心軸線Ｃに対して左右非対称の流路を形成している。リム後方導水路１０は、上流側リム後方導水路２８と下流側リム後方導水路３０とにより、「く」の字形状（他の例示としては、ブーメラン形状、又は犬の後ろ脚のような形状）の流路を形成している。それぞれ異なる方向に延びる上流側リム後方導水路２８と下流側リム後方導水路３０とを接続する屈曲部３２は、便器本体２の前後方向の中心軸線Ｃに対して右側領域に偏心して位置決めされている。屈曲部３２は後述する上流側リム導水路出口部２８ａと下流側リム導水路入口部３０ａとにより形成されている。下流側リム後方導水路３０は、上流からその下流側に向かって中心軸線Ｃ上に一端戻った後、さらに、徐々に左側領域に向かって偏心するように形成されている。従って、リム後方導水路１０は、導水路全体の長さが従来よりも長くなるように形成されている。
【００２４】
上流側リム後方導水路２８は、便器本体２の中心軸線Ｃ上の供給口６から斜めに右側方向に向かって直線的に延び、中心軸線Ｃに対して非対称の位置に配置され、中心軸線Ｃに対して右側近傍に配置された上流側リム導水路出口部２８ａまで延びている。上流側リム後方導水路２８は、上流から下流側に向かって中心軸線Ｃに対して徐々に右側領域に偏心するように形成されている。
上流側リム後方導水路２８の中心軸線Ａ１は、中心軸線Ｃに対して前方が右側外向きに傾斜するように配置されている。
【００２５】
下流側リム後方導水路３０は、上流側リム導水路出口部２８ａに接続される下流側リム導水路入口部３０ａから左側へと延び、リム通水路２０の左側後部領域２０ａに接続される下流側リム導水路出口部３０ｂに至る流路を形成している。下流側リム後方導水路３０は、下流側リム導水路入口部３０ａから、下流側リム導水路出口部３０ｂまで、便器本体２の中心軸線Ｃを斜めに横切るような直線的な流路を形成している。
下流側リム後方導水路３０の中心軸線Ａ２は、中心軸線Ｃに対して前方が左側外向きに傾斜するように配置されている。上流側リム後方導水路２８の中心軸線Ａ１と、下流側リム後方導水路３０の中心軸線Ａ２との交点は、中心軸線Ｃに対して右側に位置するのに対し、下流側リム導水路出口部３０ｂは、中心軸線Ｃに対して反対側の左側に位置している。
【００２６】
下流側リム後方導水路３０は、その下流側リム導水路入口部３０ａが、中心軸線Ｃに対して右側の中央近傍領域に配置され、その下流側リム導水路出口部３０ｂが、中心軸線Ｃに対して左側のボウル部８の左側後部領域に配置されている。よって、下流側リム後方導水路３０は、中心軸線Ｃの右側から中心軸線Ｃを超えてボウル部８の左側後部領域まで延びるような比較的長い所定長さＬの流路を形成している。下流側リム導水路入口部３０ａが、中心軸線Ｃに対して右側に配置されているので、下流側リム導水路入口部３０ａからボウル部８の左側後部領域に位置する下流側リム導水路出口部３０ｂまでの長さが、比較的長い長さに設定される。
下流側リム後方導水路３０の流路の長さＬは、従来例として図５に示すような従来の便器本体における、中心軸線上の入口から左側後部領域上の出口までの下流側のリム導水路の流路の長さｌと比べて長い長さにされている。
下流側リム後方導水路３０は、比較的長い長さＬの流路を有しているので、洗浄水が下流側リム後方導水路３０中において下流側リム後方導水路３０の向きに良好に整流されることができ、洗浄水の指向性が高められ、下流側リム導水路出口部３０ｂからリム通水路２０上を周回しようとする向きに整った流れ且つ比較的水勢の強い状態の流れにより吐水される。この下流側リム導水路の流路の長さＬは、２５ｍｍ乃至１１５ｍｍの長さに設定されている。
【００２７】
また、下流側リム後方導水路３０は、その一部が、リム通水路２０の合流部分の一部と平行になるように形成されている。下流側リム導水路出口部３０ｂ近傍においては、下流側リム後方導水路３０の中心軸線Ａ２の向きと、ボウル部８の左側後部領域においてリム通水路２０上を周回しようとする洗浄水の流線Ａ３の向きとがほぼ一致するようになっているので、下流側リム導水路出口部３０ｂから流出する洗浄水が、リム通水路２０上をほぼ同じ旋回方向（周回方向）に向かって流れ、水の勢いを保った状態（流量及び流速をほぼ維持した状態）でリム通水路２０上を周回しようとする流れを形成することができる。
従って、下流側リム後方導水路３０からリム通水路２０に合流する洗浄水が、リム通水路上の主流の方向と逆の旋回方向に向かってリム通水路２０上を通り流れること、及びスリット開口部２６から汚物受け面１６に流下してしまうことを抑制できる。
【００２８】
下流側リム後方導水路３０とリム通水路２０とが接続される領域においては、下流側リム後方導水路３０の外側壁面３０ｃと、リム部１８のリム通水路外側壁面３４とが、ほぼ平坦に連続して形成されている。外側壁面３０ｃとリム通水路外側壁面３４とは接続部近傍において面一に形成されている。別の言い方によれば、リム通水路外側壁面３４の接線方向と、外側壁面３０ｃの延びる方向が一致している。従って、洗浄水が、下流側リム後方導水路３０の外側壁面３０ｃからリム部１８のリム通水路外側壁面３４に直線的に延びる平坦面に沿って滑らかに流れることができ、これらの外側壁面に沿って流れる流れの圧力損失を抑制することができる。
【００２９】
また、便器本体２は、便器本体２上に便座を取付けるための取付部３６を有する。取付部３６は、便器本体２のリム通水路２０より後方の左右両側近傍の位置に設けられる。取付部３６は便器本体２内部に向かって取付構造を形成するため、取付部３６を形成する位置においては、下流側リム後方導水路３０を形成することはできなくなる。下流側リム後方導水路３０は、このような左右両側の取付部３６の間に形成され、取付部３６を回避して設けられることができ、さらに、比較的長い長さの流路を形成している。
【００３０】
つぎに、図１〜図３により、本発明の第１実施形態による水洗大便器の作用（動作）を説明する。
最初に、便器洗浄のための洗浄操作パネル（図示せず）の操作ボタン（図示せず）を操作すると、貯水タンク４に設けられた排水弁（図示せず）が開き、貯水タンク４から所定の洗浄水量（例えば、６．０リットル）が便器本体２の後方側の供給口６からリム後方導水路１０に供給される。
つぎに、リム後方導水路１０に流入した洗浄水は、上流側リム後方導水路２８内を便器本体２の左右方向のうち右側へと向かって流れる。すなわち、洗浄水は、中心軸線Ｃから遠ざかるように右側側方に向かって流れる。洗浄水が上流側リム導水路出口部２８ａに到達すると、洗浄水が屈曲部３２において向きを変える。具体的には、洗浄水は、便器本体２の右側向きの流れから左側向きの流れに方向が転換される。
【００３１】
つづいて、洗浄水は、反対側の左側前方に向かって延びる下流側リム後方導水路３０に流入する。洗浄水は、直線的に延びる下流側リム後方導水路３０に沿って下流側リム導水路入口部３０ａから下流側リム導水路出口部３０ｂに向かって直線的な流れを形成する。
下流側リム後方導水路３０は、従来よりも比較的長く形成されており、洗浄水は、下流側リム導水路入口部３０ａから中心軸線Ｃを越えて所定距離の長さＬにわたって直線的に流れ、水勢を維持しながら流れの方向が比較的均一に整えられる。従って、洗浄水は、下流側リム導水路出口部３０ｂから左右に拡がることが抑制され、中心軸線Ａ２に沿って直線的に流れることができる。
【００３２】
下流側リム導水路出口部３０ｂから流出する洗浄水は、リム通水路２０上を周回しようとする洗浄水の流線Ａ３に沿って、リム通水路２０を流れる。この洗浄水の旋回方向に向かう単位時間当たりの流量が増大されている。多くの洗浄水は、リム通水路２０におけるリム通水路底面２４上を、左側後方領域から、左側領域、前側領域、右側領域、右側後方領域、後方領域の順に通過して、再び左側後方領域に戻るような、旋回流れを形成する。
このような旋回流れを形成しながら、洗浄水が、リム通水路底面２４の内側に形成されたスリット開口部２６から、徐々に流下し、ボウル部８の汚物受け面１６の全体を均一に洗浄することとなる。ボウル部８を流下した洗浄水は、汚物とともに排水トラップ管路１４から排出されて、便器本体２の一連の洗浄動作が終了する。
【００３３】
上述した本発明の第１実施形態による水洗大便器１によれば、洗浄水が、便器本体２の左右方向のうち一方側へと延びる上流側リム後方導水路２８から、方向を変えて下流側リム後方導水路３０に流入され、下流側リム後方導水路３０に沿って、左右方向のうち他方側へと比較的長い長さにわたって導かれる。
従って、下流側リム後方導水路３０からリム通水路２０に向かって流入する洗浄水の勢いが強められ、さらに、スリット開口部２６の大きさを低減しない場合であってもリム通水路２０を旋回しようとする流れが形成されやすくなる。よって、リム通水路２０を旋回しようとする洗浄水の勢いを強めることができる。従って、便器洗浄に使用する洗浄水量を少なく設定した場合においても、洗浄水がリム通水路２０を一周するように旋回することができ、ボウル部８を十分に洗浄することができる。
【００３４】
また、本実施形態による水洗大便器１によれば、下流側リム後方導水路３０が、所定距離においてほぼ直線状に形成されているために、上流側リム後方導水路２８から方向を換えられた洗浄水が、下流側リム後方導水路３０において整流されることができる。従って、下流側リム後方導水路３０からリム通水路２０に向かって流入する際の洗浄水の勢いが強められ、且つリム通水路２０を旋回しようとする流れが形成されやすくなる。
【００３５】
さらに、本実施形態による水洗大便器１によれば、下流側リム後方導水路３０を、便器本体２上に便座を取付ける取付部３６を回避して設けることができる。
【００３６】
また、本実施形態による水洗大便器１によれば、下流側リム後方導水路３０の外側壁面３０ｃとリム通水路外側壁面３４とはほぼ平坦に連続して形成されているために、下流側リム後方導水路３０からリム通水路２０に流れる洗浄水が受ける圧力損失を抑制することができる。
【００３７】
次に、本発明の第２実施形態を図４により説明する。図４は本発明の第２案施形態による水洗大便器を示す平面図である。第２実施形態に関し、上述した第１実施形態と同一部分には同一符号を付し説明は省略する。
【００３８】
本発明の第２実施形態による水洗大便器１０１は、陶器等からなる便器本体１０２を有する。
便器本体１０２のボウル部８の上縁部には、内側にオーバーハングしたリム部１１８と、便器本体１０２の後方側の内部に形成されるリム後方導水路１１０から供給される洗浄水を吐水する第１吐水口１３８及び第２吐水口１４０が形成される。
この第２実施形態においては、リム部が、オープンリムタイプの形態とは異なり、フチなしタイプ（又はフチが比較的小さいタイプ）のリム部１１８となっている。
この第１吐水口１３８から吐水された洗浄水は、後述するリム通水路１２０のリム通水路底面１２４上を流れてボウル部８の上部を旋回し、旋回しながらリム通水路底面１２４から汚物受け面１６に下降してボウル部８を洗浄するようになっている。また、第２吐水口１４０から吐水された洗浄水は、後述するリム通水路１２０のリム通水路底面１２４上を流れてボウル部８の上部を旋回し、旋回しながらリム通水路底面１２４から汚物受け面１６に下降してボウル部８を洗浄するようになっている。
なお、本実施形態においては、リム部１１８は内側にオーバーハングしているが、本発明はこのような形態に限定されるものではなく、例えば、リム部が内側にオーバーハングしないような縦壁状の形態を有していてもよい。
【００３９】
リム部１１８は、ボウル部８の上縁部のほぼ全周又は大部分の内側に形成されて洗浄水を導くことができるようになっている。このリム部１１８は、汚物受け面１６の上方に位置しその内壁面（後述するリム通水路外側壁面１３４）の上部が内側に向って張り出すように形成されている。また、リム部１１８は、リム部１１８のリム通水路底面１２４が内方に向って水平方向に延びて形成されている。よって、リム部１１８は、リム通水路底面１２４上にリム通水路１２０を形成している。リム部１１８の周方向に沿って形成されたリム通水路１２０の内側且つ下方は全周にわたって開口されており、ボウル部８の汚物受け面１６が形成されている。
【００４０】
リム通水路底面１２４は、ボウル部８のほぼ全周に亘って形成された棚状のリム通水路底面１２４を形成している。リム通水路底面１２４は、ボウル部８の上部に環状に形成された平坦面を形成し、この平坦面はボウル部８の外側方向から内側方向においては、ほぼ水平に形成されている。このような構成により、リム後方導水路１１０から供給された洗浄水が、リム通水路１２０においてリム通水路底面１２４上を流れながらボウル部８の上部を一周するような流れを形成することができる。
【００４１】
リム後方導水路１１０は、供給口６と第１吐水口１３８及び第２吐水口１４０との間に形成され、便器本体の前方から見てほぼ中央に配置された供給口６近傍から便器本体２の左右方向のうち一方側へと延びる上流側リム後方導水路２８と、この上流側リム後方導水路２８から左右方向のうち他方側へと延びる下流側リム後方導水路１３０とを備えている。本発明の第２実施形態における下流側リム後方導水路１３０は、基本的に、本発明の第１実施形態における下流側リム後方導水路３０と同様の構造及び機能を有しているため同様の部分については説明を省略するが、下流側リム導水路出口部が第１吐水口１３８により形成され、また下流側リム後方導水路１３０の下流側の一部から分岐した下流分岐導水路１４２が第２吐水口１４０まで延ばされている点で、本発明の第１実施形態における下流側リム後方導水路３０と異なっている。下流分岐導水路１４２は、便器本体２の左右方向のうち上記他方側から再び上記一方側へと直線的に延びるように形成され、自身の終端部近傍において折り返されて第２吐水口１４０に至る導水路を形成している。
【００４２】
下流側リム後方導水路１３０は、下流側リム導水路入口部１３０ａから、第１吐水口１３８まで、便器本体２の中心軸線Ｃを斜めに横切るような比較的直線的な流路を形成している。
第１吐水口１３８近傍においては、下流側リム後方導水路１３０の中心軸線Ａ４の向きと、ボウル部８の左側領域においてリム通水路１２０上を周回しようとする洗浄水の流線Ａ５の向きとがほぼ一致するようになっているので、第１吐水口１３８から流出する洗浄水が、リム通水路１２０上をほぼ同じ旋回方向に向かって流れ、水の勢いを保った状態（流量及び流速をほぼ維持した状態）でリム通水路１２０上を周回しようとする流れを形成することができる。
また、第２吐水口１４０近傍においては、下流分岐導水路１４２の中心軸線Ａ６の向きと、ボウル部８の右側後方領域においてリム通水路１２０上を周回しようとする洗浄水の流線Ａ７の向きとがほぼ一致するようになっているので、第２吐水口１４０から流出する洗浄水が、リム通水路１２０上をほぼ同じ旋回方向に向かって流れ、水の勢いを保った状態（流量及び流速をほぼ維持した状態）でリム通水路１２０上を周回しようとする流れを形成することができる。
【００４３】
また、下流側リム後方導水路１３０とリム通水路１２０とが接続される領域においては、下流側リム後方導水路１３０の外側壁面１３０ｃと、リム部１１８のリム通水路外側壁面１３４とが、ほぼ平坦に連続して形成されている。従って、洗浄水が、下流側リム後方導水路１３０の外側壁面１３０ｃからリム部１１８のリム通水路外側壁面１３４に直線的に延びる平坦面に沿って滑らかに流れることができる。
下流分岐導水路１４２とリム通水路１２０とが接続される領域においては、下流分岐導水路１４２の外側壁面１４２ｃと、リム部１１８のリム通水路外側壁面１３４とが、ほぼ平坦に連続して形成されている。従って、洗浄水が、下流分岐導水路１４２の外側壁面１４２ｃからリム部１８のリム通水路外側壁面１３４に直線的に延びる平坦面に沿って滑らかに流れることができる。
【００４４】
つぎに、図４により、本発明の第２実施形態による水洗大便器の作用（動作）を説明する。
本発明の第２実施形態において、リム後方導水路１１０に流入した洗浄水は、上流側リム後方導水路２８内を便器本体１０２の左右方向のうち右側へと向かって流れる。すなわち、洗浄水は、中心軸線Ｃから遠ざかるように右側側方に向かって流れる。洗浄水が上流側リム導水路出口部２８ａに到達すると、洗浄水が屈曲部３２において向きを変える。具体的には、洗浄水は、便器本体１０２の右側向きの流れから左側向きの流れに方向が転換される。
【００４５】
つづいて、洗浄水は、反対側の左側前方に向かって延びる下流側リム後方導水路１３０に流入する。洗浄水は、直線的に延びる下流側リム後方導水路１３０に沿って下流側リム導水路入口部１３０ａから第１吐水口１３８に向かって直線的な流れを形成する。
下流側リム後方導水路１３０は、従来よりも比較的長く形成されており、洗浄水は、下流側リム導水路入口部１３０ａから中心軸線Ｃを越えて所定距離の長さＬ１にわたって直線的に流れ、水勢を維持しながら流れの方向が比較的均一に整えられる。従って、洗浄水は、第１吐水口１３８から左右に拡がることが抑制され、中心軸線Ａ４から中心軸線Ａ５に沿って直線的に流れることができる。
一部の洗浄水は、下流側リム後方導水路１３０から下流分岐導水路１４２に分岐して流れ、下流分岐導水路１４２に沿って直線的に流れた後、第２吐水口１４０からリム通水路底面１２４上に吐水されるようになっている。
【００４６】
第１吐水口１３８から流出する洗浄水は、リム通水路１２０上を周回しようとする洗浄水の流線Ａ５に沿って、リム通水路１２０を流れる。この洗浄水の旋回方向に向かう単位時間当たりの流量が増大されている。第１吐水口１３８からリム通水路１２０に向かって流入する際の洗浄水の勢いが強められ、且つオープンリム部以外のリム部を採用する場合であってもリム通水路１２０を旋回しようとする流れが形成されやすくなる。
また、第２吐水口１４０から流出する洗浄水は、リム通水路１２０上を周回しようとする洗浄水の流線Ａ７に沿って、リム通水路１２０を流れる。この洗浄水の旋回方向に向かう単位時間当たりの流量が増大されている。第２吐水口１４０からリム通水路１２０に向かって流入する際の洗浄水の勢いが強められ、且つオープンリム部以外のリム部を採用する場合であってもリム通水路１２０を旋回しようとする流れが形成されやすくなる。
【００４７】
このようにして、洗浄水が、リム通水路１２０におけるリム通水路底面１２４上を、左側後方領域から、左側領域、前側領域、右側領域、右側後方領域、後方領域の順に通過して、再び左側後方領域に戻るような、旋回流れを形成する。このような旋回流れを形成しながら、洗浄水が、リム通水路底面２４の内側のボウル部８の汚物受け面１６に徐々に流下し、ボウル部８全体を均一に洗浄することとなる。ボウル部８を流下した洗浄水は、汚物とともに排水トラップ管路１４から排出されて、便器本体２の一連の洗浄動作が終了する。
【００４８】
上述した本発明の第２実施形態による水洗大便器１０１によれば、洗浄水が、便器本体１０２の左右方向のうち一方側へと延びる上流側リム後方導水路２８から、方向を変えて下流側リム後方導水路１３０に流入され、下流側リム後方導水路１３０に沿って、左右方向のうち他方側へと比較的長い長さにわたって導かれる。
従って、下流側リム後方導水路１３０から第１吐水口１３８を介してリム通水路１２０に向かって流入する際の洗浄水の勢いが強められ、且つオープンリム部以外のリム部１１８を採用する場合であってもリム通水路１２０を旋回しようとする流れが形成されやすくなる。よって、リム通水路１２０を旋回しようとする洗浄水の勢いを強めることができる。従って、便器洗浄に使用する洗浄水量を少なく設定した場合においても、洗浄水がリム通水路１２０を良好に旋回することができ、ボウル部８を十分に洗浄することができる。
【００４９】
次に、本発明の第３実施形態を図５及び図６により説明する。図５は本発明の第３案施形態による水洗大便器を示す平面図であり、図６は本発明の第３案施形態による水洗大便器において便器本体の後方上部の流路を示す概略部分拡大図である。第３実施形態に関し、上述した第１実施形態と同一部分には同一符号を付し、それらの説明は省略する。
【００５０】
本発明の第３実施形態による水洗大便器２０１は、陶器等からなる便器本体２０２を有する。
便器本体２の後方上部には、供給口６とリム通水路２０との間に形成され、貯水タンク（図示せず）から供給された洗浄水を供給口６からボウル部８に導水するリム後方導水路２１０が形成されている。
この第３実施形態においては、リム後方導水路２１０の上流側リム後方導水路２８と下流側リム後方導水路３０とを接続する屈曲部２３２の形状が、第１実施形態におけるリム後方導水路１０の屈曲部３２の形状と異なっている。
【００５１】
次に、リム後方導水路について詳細に説明する。
図５及び図６に示すように、便器本体２０２の後方側のリム後方導水路２１０の後端には、貯水タンク（図示せず）の下流側端部が接続される供給口６が形成され、貯水タンク（図示せず）から供給された洗浄水は、供給口６から便器本体２０２の後方側のリム後方導水路２１０に吐水され、リム後方導水路２１０からリム通水路２０に流入するようになっている。
【００５２】
リム後方導水路２１０は、便器本体２０２の前方から見てほぼ中央に配置された供給口６近傍から便器本体２０２の左右方向のうち一方側へと延びる上流側リム後方導水路２８と、この上流側リム後方導水路２８から左右方向のうち他方側へと延びる下流側リム後方導水路３０とを備えている。リム後方導水路２１０は、中心軸線Ｃに対して左右非対称の流路を形成している。リム後方導水路２１０は、上流側リム後方導水路２８と下流側リム後方導水路３０とにより、「く」の字形状（他の例示としては、ブーメラン形状、又は犬の後ろ脚のような形状）の流路を形成している。それぞれ異なる方向に延びる上流側リム後方導水路２８と下流側リム後方導水路３０とを接続する屈曲部２３２は、便器本体２の前後方向の中心軸線Ｃに対して右側領域に偏心して位置決めされている。屈曲部２３２は後述する上流側リム導水路出口部２８ａと下流側リム導水路入口部３０ａとにより形成されている。下流側リム後方導水路３０は、上流からその下流側に向かって中心軸線Ｃ上に一端戻った後、さらに、徐々に左側領域に向かって偏心するように形成されている。従って、リム後方導水路２１０は、導水路全体の長さが従来よりも長くなるように形成されている。
【００５３】
上流側リム後方導水路２８は、便器本体２の中心軸線Ｃ上の供給口６から斜めに右側方向に向かって直線的に延び、中心軸線Ｃに対して右側近傍に配置された上流側リム導水路出口部２８ａまで延びている。上流側リム後方導水路２８は、その流路の両側壁が中心軸線Ｃに対して対称となる位置に配置されておらず、中心軸線Ｃに対して非対称の位置に配置されている。上流側リム後方導水路２８は、上流から下流側に向かって中心軸線Ｃに対して徐々に右側領域に偏心するように形成されている。上流側リム後方導水路２８の中心軸線Ａ１は、中心軸線Ｃに対して前方が右側外向きに傾斜するように配置されている。
【００５４】
図５及び図６に示すように、供給口６の中心点ｃ１は、便器本体２の左右方向の中心に延びる中心軸線Ｃ上に配置されるようになっている。上流側リム後方導水路２８は、その中心軸線Ａ１が便器本体２０２の中心軸線Ｃよりも右側方向に偏心して形成されている。上流側リム後方導水路２８の中心軸線Ａ１は、供給口６の中心点ｃ１よりも便器本体２０２の左右方向のうち屈曲部２３２の配置される方向側（例えば、便器本体２０２の左右方向のうち片側の右方向側）に偏心して延びているようになっている。すなわち、上流側リム後方導水路２８の中心軸線Ａ１は、供給口６の中心点ｃ１の位置における左右断面において、中心点ｃ１より右方向側の位置ａ１を通っている。
上流側リム後方導水路２８の中心軸線Ａ１は、上流側リム後方導水路入口部２２８ｂから上流側リム導水路出口部２８ａまで中心軸線Ｃに対して右側に偏心して延びている。中心軸線Ａ１を延長した仮想的な直線は、中心軸線Ｃと供給口６の中心点ｃ１よりも後方側において交わるようになっている。
【００５５】
上流側リム後方導水路２８の上流側リム後方導水路入口部２２８ｂは、ほぼ円形の供給口６の外周の壁面２０６ａのうち中心点ｃ１を通る中心軸線Ｃに対して一方側（右側）にずれて供給口６と接続されている。すなわち、上流側リム後方導水路入口部２２８ｂは、供給口６の外周のうち、上流側リム後方導水路２８が中心軸線Ｃに対して偏心しようとする側の部分に主に接続されている。別の言い方によれば、上流側リム後方導水路入口部２２８ｂの大部分が中心軸線Ｃに対して左右片側に偏るように配置されている。
【００５６】
上流側リム後方導水路２８の上流側リム後方導水路外側壁面２２８ｃは、供給口６の外周の壁面２０６ａの接線ｌ１（仮想的な接線ｌ１）に沿うように供給口６の壁面２０６ａと接続されている。上流側リム後方導水路外側壁面２２８ｃは、供給口６の外周の壁面２０６ａ上の所定位置２０６ｂにおいて供給口６の半径ｒ３に対して直交する接線ｌ１（壁面２０６ａ上の仮想的な接線ｌ１）に沿うように延びて、半径ｒ３を有する円弧上の壁面２０６ａと滑らかに接続されている。よって、供給口６の内側面を形成する壁面２０６ａから上流側リム後方導水路外側壁面２２８ｃにつながる壁面が、流路の内側に向かって突出するような接続部を形成することなく、滑らかに連続した流路の壁面を形成している。
従って、供給口６から供給された洗浄水が、供給口６の壁面２０６ａからこの壁面２０６ａの接線ｌ１に沿うように上流側リム後方導水路外側壁面２２８ｃに沿って流れ、その勢いをなるべく弱めないようにしながら、滑らかに流れることができる。従って、上流側リム後方導水路２８を流れる洗浄水の勢いを比較的強めることができる。
また、壁面２０６ａと上流側リム後方導水路外側壁面２２８ｃとの接続部における仮想的な接線ｌ１は、中心軸線Ａ１と平行に延び、便器本体２０２の前方側に向かうにつれて外側に拡がるような傾きを有している。
【００５７】
屈曲部２３２は、上流側リム後方導水路２８の下流端の上流側リム導水路出口部２８ａと、下流側リム後方導水路３０の上流端の下流側リム導水路入口部３０ａと、の間において屈曲する流路として形成される。屈曲部２３２は、屈曲部２３２の流路の外側（便器本体２の外側）に形成される外側周壁部２３２ａと、屈曲部２３２の流路の内側（便器本体２の内側）に形成される内側周壁部２３２ｂと、を備えている。
外側周壁部２３２ａは比較的急に曲がる円弧状の壁面を形成し、且つ内側周壁部２３２ｂは比較的緩やかに曲がる円弧状の壁面を形成している。ここで、外側周壁部２３２ａの円弧の半径ｒ１は、内側周壁部２３２ｂの円弧の半径ｒ２より小さくなるように形成されている。すなわち、外側周壁部２３２ａの曲率半径Ｒ１は、内側周壁部２３２ｂの曲率半径Ｒ２よりも大きくなるように形成されている。
【００５８】
屈曲部２３２は、外側周壁部２３２ａの半径ｒ１と、内側周壁部２３２ｂの半径ｒ２との大きさの比が、１：２の比から４：５の比までの比率の範囲に設定されている。例えば、外側周壁部２３２ａの半径ｒ１と、内側周壁部２３２ｂの半径ｒ２との大きさの比が、３：４の比に設定されている。
【００５９】
また、屈曲部２３２においては、外側周壁部２３２ａの半径ｒ１が内側周壁部２３２ｂの半径ｒ２より小さくなるように形成されているので、外側周壁部２３２ａと内側周壁部２３２ｂとの間の幅Ｗが、入口部Ｗ１から中央部Ｗ２にかけて増大され、中央部Ｗ２から出口部Ｗ３にかけて減少するように形成されている。幅Ｗが中央部Ｗ２から出口部Ｗ３にかけて減少され、外側周壁部２３２ａの下流側端部２３２ｃがわずかに下流側リム後方導水路３０の外側壁面３０ｃの方向に向かうように形成されている。このようにして、屈曲部２３２の流路の外側周壁部２３２ａに沿う流れを、屈曲部２３２の流路の内側周壁部２３２ｂ側（又は下流側リム後方導水路３０の外側壁面３０ｃ側）に沿う流れに向かって誘導することができる。
【００６０】
下流側リム後方導水路３０は、屈曲部２３２に接続される下流側リム導水路入口部３０ａから左側前方へと延び、リム通水路２０の左側後部領域２０ａに接続される下流側リム導水路出口部３０ｂに至る流路を形成している。下流側リム後方導水路３０は、下流側リム導水路入口部３０ａから、下流側リム導水路出口部３０ｂまで、便器本体２の中心軸線Ｃを斜めに横切るような直線的な流路を形成している。下流側リム後方導水路３０とリム通水路２０との接続領域には、中心軸線Ｃの領域及び中心軸線Ｃ近傍の領域が含まれている。下流側リム後方導水路３０の中心軸線Ａ２は、中心軸線Ｃに対して前方が左側外向きに傾斜するように配置されている。上流側リム後方導水路２８の中心軸線Ａ１と、下流側リム後方導水路３０の中心軸線Ａ２との交点は、中心軸線Ｃに対して右側に位置するのに対し、下流側リム導水路出口部３０ｂは、中心軸線Ｃに対して反対側の左側に位置している。中心軸線Ａ１と、中心軸線Ｃとが成す角度は、中心軸線Ａ２と中心軸線Ｃとが成す角度よりも小さくなるように配置されている。
【００６１】
第３実施形態による水洗大便器２０１においても、第１実施形態による水洗大便器１及び第２実施形態による水洗大便器１０１においてと同様に、左右非対称のリム後方導水路に関し、上述のような左右逆転した形状の流路を形成してもよい。より具体的には、便器本体の左右方向のうち左側へと延びる上流側リム後方導水路から、右向きに方向を変えて下流側リム後方導水路に流入され、下流側リム後方導水路に沿って、左右方向のうち右側へと比較的長い長さにわたって導かれ、リム通水路２０において洗浄水が時計回りに周回するような一方向の流れを形成するように構成されていてもよい。
また、第２実施形態による水洗大便器１０１の屈曲部３２に第３実施形態による水洗大便器２０１の屈曲部２３２を適用してもよい。
【００６２】
つぎに、図５及び図６により、本発明の第３実施形態による水洗大便器の作用（動作）を説明する。第３実施形態の作用（動作）の説明に関し、上述した第１実施形態と異なる構造のリム後方導水路における作用について主に説明し、他の同様の構造の部分については、それらの作用の説明は省略している。
貯水タンク（図示せず）から供給口６に供給された洗浄水は、矢印Ｆ１に示すように、供給口６の壁面２０６ａに向かって一旦外側に広がり、矢印Ｆ２に示すように、流れが供給口６の壁面２０６ａに沿って流れる。壁面２０６ａに沿って流れる流れは、矢印Ｆ３に示すように、壁面２０６ａから上流側リム後方導水路外側壁面２２８ｃに滑らかに壁面に沿うように流れる。左右方向において上流側リム後方導水路２８が偏心している側において上流側リム後方導水路外側壁面２２８ｃが壁面２０６ａの接線方向に接続されるので供給口６の上記偏心している側から上流側リム後方導水路２８の出口２８ａまで比較的直線的な流路を形成することができ、洗浄水の乱れを低減することができる。また、偏心した上流側リム後方導水路２８に対して上記偏心している側の領域から流れ出る洗浄水の勢いを比較的強くすることができる。また、上流側リム後方導水路外側壁面２２８ｃが壁面２０６ａの接線方向に接続され、壁面２０６ａから上流側リム後方導水路外側壁面２２８ｃにつながる壁面が、上流側リム後方導水路２８の流路の内側に向かって突出するような凹凸部を形成していないので、壁面２０６ａに沿う流れが上流側リム後方導水路入口部２２８ｂに流入する際に内側に向かって乱されることが抑制され、上流側リム後方導水路外側壁面２２８ｃに沿って、矢印Ｆ３及びＦ４に示すように、流れることが出来る。
【００６３】
リム後方導水路１０に流入した洗浄水は、矢印Ｆ４、Ｆ５及びＦ６に示すように、リム後方導水路１０の向きに沿って、上流側リム後方導水路２８内を便器本体２の左右方向のうち右側へと向かって流れる。洗浄水は屈曲部２３２において流れの向きを変える。
屈曲部２３２の内周側においては、洗浄水は、矢印Ｆ７に示すように、比較的大きな半径ｒ２を有する内側周壁部２３２ｂに沿って曲がりながら流れる。洗浄水は、内側周壁部２３２ｂの下流側の外側壁面３０ｃに沿って流れ、後述するような洗浄水の水流Ｆ９と合流し、矢印Ｆ１１及びＦ１２に示すように、その内側周壁部２３２ｂ側から下流側リム後方導水路３０に延びる反対側（左側）の外側壁面３０ｃに沿うようにリム通水路２０に向かって流れる。
【００６４】
屈曲部２３２の外周側においては、洗浄水は、矢印Ｆ８に示すように、比較的小さな半径ｒ１を有する外側周壁部２３２ａに沿って向きを変え、跳ね返るように内側向きに流れる。このとき、外側周壁部２３２ａの円弧の半径ｒ１は、内側周壁部２３２ｂの円弧の半径ｒ２より小さくなるように形成されているので、外側周壁部２３２ａに沿って向きを変えられた洗浄水の主流が、矢印Ｆ９に示すように、下流側リム後方導水路３０の外側壁面３０ｃの方向に向かうように流れる。外側周壁部２３２ａの円弧の半径ｒ１が比較的小さく形成されているので、外側周壁部２３２ａに沿って流れる洗浄水の主流を下流側端部２３２ｃの壁面から離間して外側壁面３０ｃの方向に向かうように方向付けすることができる。さらに、外側周壁部２３２ａの下流側の壁面に沿って流れる流れＦ１０の割合を比較的抑制することができ、下流側リム後方導水路３０の外側壁面３０ｃに沿って流れるような流れＦ１１及びＦ１２を主流として、リム通水路２０に向かって流入する洗浄水の勢いを比較的強く形成することができる。洗浄水は、矢印Ｆ１１及びＦ１２に示すように、直線的に延びる下流側リム後方導水路３０に沿って下流側リム導水路入口部３０ａから下流側リム導水路出口部３０ｂに向かって直線的な流れを形成する。よって、前述にもあるように、リム通水路２０を旋回しようとする流れが形成されやすくなっている。
【００６５】
下流側リム導水路出口部３０ｂから流出する洗浄水は、矢印Ｆ１３に示すように、リム通水路２０上を周回しようとする洗浄水の流線に沿って、リム通水路２０を流れる。この洗浄水の旋回方向に向かう単位時間当たりの流量が増大されている。多くの洗浄水は、リム通水路２０におけるリム通水路底面２４上を、左側後方領域から、左側領域、前側領域、右側領域、右側後方領域、後方領域の順に通過して、再び左側後方領域に戻るような、旋回流れを形成する。
このような旋回流れを形成しながら、洗浄水が、リム通水路底面２４の内側に形成されたスリット開口部２６から、徐々に流下し、矢印Ｆ１４に示すように、ボウル部８の汚物受け面１６の全体を均一に洗浄することとなる。ボウル部８を流下した洗浄水は、汚物とともに排水トラップ管路１４から排出されて、便器本体２の一連の洗浄動作が終了する。
【００６６】
上述した本発明の第３実施形態による水洗大便器２０１によれば、洗浄水が、便器本体２０２の左右方向のうち一方側へと延びる上流側リム後方導水路２８から、方向を変えて下流側リム後方導水路３０に流入され、下流側リム後方導水路３０に沿って、左右方向のうち他方側へと比較的長い長さにわたって導かれる。
従って、下流側リム後方導水路３０からリム通水路２０に向かって流入する洗浄水の勢いが強められ、さらに、スリット開口部２６の大きさを低減しない場合であってもリム通水路２０を旋回しようとする流れが形成されやすくなる。よって、リム通水路２０を旋回しようとする洗浄水の勢いを強めることができる。従って、便器洗浄に使用する洗浄水量を少なく設定した場合においても、矢印Ｆ１３に示すように、洗浄水がリム通水路２０を一周するように旋回することができ、矢印Ｆ１４に示すように、ボウル部８を十分に洗浄することができる。
【００６７】
また、本発明の第３実施形態による水洗大便器２０１によれば、供給口６から便器本体２０２の左右方向のうち一方側へと延びる上流側リム後方導水路２８の中心軸線Ａ１が、供給口６の中心点ｃ１より左右方向のうち上流側リム後方導水路２８の延びる方向側に偏心して延びているので、供給口６から流出する洗浄水が、供給口６の中心より左右方向のうち上流側リム後方導水路２８の延びる方向側から、偏心した上流側リム後方導水路２８に比較的スムーズに流出することができる。よって、上流側リム後方導水路２８の中心軸線Ａ１が、供給口６の中心から偏心していない場合と比べて、洗浄水が供給口６の偏心している上流側リム後方導水路２８の側から比較的スムーズに上流側リム後方導水路２８に流れ込むことができる。 
【００６８】
また、本発明の第３実施形態による水洗大便器２０１によれば、供給口６から供給された洗浄水が、供給口６の壁面２０６ａからこの壁面２０６ａの接線ｌ１に沿うように上流側リム後方導水路２８の上流側リム後方導水路外側壁面２２８ｃに沿って流れ、その勢いを保ちながら、滑らかに流れることができる。従って、上流側リム後方導水路２８を流れる洗浄水の勢いを比較的強めることができる。
【００６９】
また、本発明の第３実施形態による水洗大便器２０１によれば、屈曲部２３２の流路の外側周壁部２３２ａの円弧の半径が、その流路の内側周壁部２３２ｂの円弧の半径より小さいので、屈曲部２３２の流路の外側周壁部２３２ａに沿う流れを、屈曲部２３２の流路の内側周壁部２３２ｂ側に沿う流れに向かって誘導することができ、その内側周壁部２３２ｂ側から下流側リム後方導水路３０に延びる壁面に沿うようにリム通水路２０に向かって流入する洗浄水の勢いが強められ、リム通水路２０を旋回しようとする流れが形成されやすくなる。
【符号の説明】
【００７０】
１            水洗大便器
２            便器本体
４            貯水タンク
６            供給口
８            ボウル部
１０          リム後方導水路
１２          溜水部
１４          排水トラップ管路
１４ａ        入口
１４ｂ        後端
１６          汚物受け面
１８          リム部
２０          リム通水路
２０ａ        左側後部領域
２２          リム垂下壁部
２４          リム通水路底面
２６          スリット開口部
２８          上流側リム後方導水路
２８ａ        上流側リム導水路出口部
３０          下流側リム後方導水路
３０ａ        下流側リム導水路入口部
３０ｂ        下流側リム導水路出口部
３０ｃ        外側壁面
３２          屈曲部
３４          リム通水路外側壁面
３６          取付部
１０１        水洗大便器
１０２        便器本体
１１０        リム後方導水路
１１８        リム部
１２０        リム通水路
１２４        リム通水路底面
１３０        下流側リム後方導水路
１３０ａ      下流側リム導水路入口部
１３０ｃ      外側壁面
１３４        リム通水路外側壁面
１３８        第１吐水口
１４０        第２吐水口
１４２        下流分岐導水路
１４２ｃ      外側壁面
２０１        水洗大便器
２０２        便器本体
２０６        リム通水路
２０６ａ      壁面
２０６ｂ      所定位置
２１０        リム後方導水路
２２８ｂ      上流側リム後方導水路入口部
２２８ｃ      上流側リム後方導水路外側壁面
２３２        屈曲部
２３２ａ      外側周壁部
２３２ｂ      内側周壁部
２３２ｃ      下流側端部
３０１        水洗大便器
３０２        便器本体
３０４        リム
３０６        リム通水路
３０８        ボウル部
３１０        導水路
３１２        スリット開口
ａ１          位置
Ａ１          中心軸線
Ａ２          中心軸線
Ａ３          流線
Ａ４          中心軸線
Ａ５          中心軸線
Ａ５          流線
Ａ６          中心軸線
Ａ７          流線
Ｃ            中心軸線
ｃ１          中心点
ｌ１          接線
Ｒ１          曲率半径
Ｒ２          曲率半径
ｒ１          半径
ｒ２          半径
ｒ３          半径
Ｗ            幅
Ｗ１          入口部
Ｗ２          中央部
Ｗ３          出口部
【図１】
0006260796.tif 000002
【図２】
0006260796.tif 000003
【図３】
0006260796.tif 000004
【図４】
0006260796.tif 000005
【図５】
0006260796.tif 000006
【図６】
0006260796.tif 000007
【図７】
0006260796.tif 000008